(57)【要約】  加熱手段と、加熱手段による加熱調理に関する操作の入力を行う複数の操作スイッチと、操作スイッチが所定の順序で操作されたとき、加熱手段による加熱調理を開始させる制御部１００とを備え、操作スイッチの表面または近傍に、加熱調理を開始させるための操作の順序を示す番号を印字した。
2011161881.tif 000002
【特許請求の範囲】
【請求項１】
加熱手段と、
前記加熱手段による加熱調理に関する操作の入力を行う複数の操作スイッチと、
前記操作スイッチが所定の順序で操作されたとき、前記加熱手段による加熱調理を開始させる制御部と
を備え、
前記操作スイッチの表面または近傍に、加熱調理を開始させるための操作の順序を示す番号を印字した
ことを特徴とする加熱調理器。
【請求項２】
前記加熱手段を複数備え、
前記操作スイッチは、前記各加熱手段ごとにそれぞれ複数設けられ、
前記各加熱手段ごとに、加熱調理を開始させるための操作の順序を示す番号を、前記操作スイッチの表面または近傍に印字した
ことを特徴とする請求項１記載の加熱調理器。
【請求項３】
前記番号の印字の下方または近傍に配置された表示灯を備え、
前記加熱手段による加熱調理を開始させるための操作の順序に応じて、前記表示灯を点灯または点滅させる
ことを特徴とする請求項１または２記載の加熱調理器。
【請求項４】
前記操作スイッチの下方または近傍に配置された第２表示灯を備え、
前記加熱手段による加熱調理を開始させるための操作の順序に応じて、前記第２表示灯を点灯または点滅させる
ことを特徴とする請求項１〜３の何れか１項に記載の加熱調理器。
【請求項５】
前記番号の印字の下方または近傍に配置された表示灯を備え、
前記各操作スイッチのうち、任意の操作スイッチが操作された後、当該操作スイッチの次の順序となる１または複数の操作スイッチの前記表示灯を、点灯または点滅させる
ことを特徴とする請求項２記載の加熱調理器。
【請求項６】
前記操作スイッチの下方または近傍に配置された第２表示灯を備え、
前記各操作スイッチのうち、任意の操作スイッチが操作された後、当該操作スイッチの次の順序となる１または複数の操作スイッチの前記第２表示灯を、点灯または点滅させる
ことを特徴とする請求項２または５記載の加熱調理器。
【請求項７】
前記操作スイッチは、
操作対象である前記加熱手段の手前側であって、当該加熱手段の幅方向の位置と対応する位置に配置された
ことを特徴とする請求項１〜６の何れか１項に記載の加熱調理器。
【発明の詳細な説明】
【技術分野】
【０００１】
本発明は、加熱調理器に関する。
【背景技術】
【０００２】
従来の技術においては、例えば、「複数種の調理機能を備えた複合調理機１の操作パネル２に、これに配置する複数の操作子３−１，３−２……の夫々に対応した識別番号を付すると共に、各調理に対応したこれら操作子３−１，３−２……の操作手順をこれら識別記号を用いて表示した表示部４を設けて成る複合調理器における操作表示装置。」が提案されている（例えば、特許文献１参照）。
【先行技術文献】
【特許文献】
【０００３】
【特許文献１】実公昭５９−１９２１６号公報（請求項１）
【発明の概要】
【発明が解決しようとする課題】
【０００４】
従来、加熱調理器においては、複数の操作スイッチを所定の順序で操作することで加熱調理を開始させている。しかし、このような複数の操作スイッチを操作する際には、操作スイッチの操作順序を迷ったり誤操作することがある、という問題点があった。
また、使用者は複数の操作スイッチの操作順序を覚えておく必要がある。このため、例えば高齢者などの操作を忘れやすい使用者には、操作順序を思い出すことが負担となる、という問題点があった。
また、取扱説明書などを見ずに複数の操作スイッチの操作順序を理解することができる加熱調理器が望まれている。【０００５】
上記特許文献１の技術では、各調理に対応した操作子の操作手順を、識別記号を用いて表示している。しかし、単に、操作手順の説明を識別記号に置き換えて表示したにすぎず、いわば取扱説明書の内容を操作子の近傍に表示するものである。このため、使用者は、操作手順の表示と操作子の識別記号とを見て操作手順を理解しつつ、各操作子を順次操作しなければならない、という問題点があった。
なお、上記特許文献１には、識別記号を数字で表す旨の記載があるが、操作子に付される数字と操作手順とが何ら関係性を持たないため、当該数字と操作手順の表示とを見ながら各操作子を操作しなければならないことに変わりはない。【０００６】
本発明は、上記のような課題を解決するためになされたもので、複数の操作スイッチを操作する際の使い勝手を向上することができる加熱調理器を得るものである。
【課題を解決するための手段】
【０００７】
本発明に係る加熱調理器は、加熱手段と、前記加熱手段による加熱調理に関する操作の入力を行う複数の操作スイッチと、前記操作スイッチが所定の順序で操作されたとき、前記加熱手段による加熱調理を開始させる制御部とを備え、前記操作スイッチの表面または近傍に、加熱調理を開始させるための操作の順序を示す番号を印字したものである。
ここで、「印字」には、印刷の他、エンボス加工（点字を含む）や彩色の透明抜き、数字形状の部材の配置などを含み、視覚または触覚により番号を認識できるものが含まれる。
【発明の効果】
【０００８】
本発明は、操作スイッチの表面または近傍に、加熱調理を開始させるための操作の順序を示す番号を印字したので、複数の操作スイッチを操作する際の使い勝手を向上することができる。
【図面の簡単な説明】
【０００９】
【図１】本発明の実施の形態１に係る加熱調理器の斜視図である。
【図２】本発明の実施の形態１に係る加熱調理器の上面図である。
【図３】本発明の実施の形態１に係る加熱調理器のブロック構成図である。
【図４】本発明の実施の形態１に係る操作部を示す図である。
【図５】本発明の実施の形態１に係る操作部の要部拡大図である。
【図６】本発明の実施の形態２に係る操作部を示す図である。
【図７】本発明の実施の形態３に係る操作部を示す図である。
【発明を実施するための形態】
【００１０】
実施の形態１．
図１は本発明の実施の形態１に係る加熱調理器の斜視図である。
図２は本発明の実施の形態１に係る加熱調理器の上面図である。
図１、図２において、本実施の形態１に係る加熱調理器は、天面が開口された箱状の本体１の上面に、耐熱性のガラスと金属の枠体とで構成するトッププレート２が取り付けられるように構成されている。このトッププレート２には、鍋やフライパンなどの被加熱物が載置される。
本体１内には、トッププレート２に載置された被加熱物を誘導加熱する誘導加熱コイル３Ｒ、３Ｌが設けられている。
また、トッププレート２の表面には、本体１内の誘導加熱コイル３Ｒ、３Ｌが配設される位置に、加熱領域を示す目的で円形の表示（加熱口４Ｒ、４Ｌ）が形成されている。トッププレート２の右側には加熱口４Ｒが形成され、左側には加熱口４Ｌが形成される。
【００１１】
なお、本実施の形態では加熱口４が２つの場合を説明するが、本発明はこれに限るものではない。例えばトッププレート２の中央後方にさらに加熱口を設ける構成としても良いし、加熱口４が１つであっても良い。また、複数の加熱口のうち任意の加熱口について、輻射によって加熱する輻射型熱源を用いる電気ヒーター（例えばニクロム線やハロゲンヒーター、ラジェンドヒーター等）を用いるようにしても良い。
【００１２】
トッププレート２の上面手前側には、加熱調理に関する操作を入力する操作部５が設けられている。
操作部５は、例えば、メンブレンシートを用いた接点ボタンにより構成され、使用者により接点ボタンが押下されることにより、加熱制御に関する入力操作を検知する。
なお、操作部５は、メンブレンシートを用いた接点ボタンに限らず、例えば透明性の導電性フィルムなどの電極で構成したタッチスイッチにより構成し、使用者の指などが電極の配置位置に接触する際における静電容量の変化により入力操作を検知するようにしても良い。
操作部５の詳細は後述する。
【００１３】
トッププレート２の上面手前側には、表示部６が設けられている。
この表示部６は、例えば、液晶（ＬＣＤ）や各種発光素子（ＬＥＤなど）、有機電界発光（Electro  Luminescence：ＥＬ）素子などにより構成することができる。
表示部６は、トッププレート２の左右方向の中央部に配置された中央表示部６０と、加熱口４Ｒの手前側に配置された火力表示部６１Ｒおよび右表示部６２Ｒと、加熱口４Ｌの手前側に配置された火力表示部６１Ｌおよび左表示部６２Ｌとを備える。
中央表示部６０は、加熱調理に関する設定情報や、調理モードの選択表示、自動調理の進行状況、警告表示などが表示される。
火力表示部６１Ｒ、６１Ｌは、対応する誘導加熱コイル３の投入火力などを表示する。
右表示部６２Ｒ、左表示部６２Ｌは、例えばタイマー調理における時間表示や揚げ物調理モードにおける温度表示など、対応する誘導加熱コイル３に係る加熱調理に関する情報を表示する。
【００１４】
また、トッププレート２の後方には、本体１内部と連通し、本体１内部に外気を取り込むための吸気口２０Ｒ、２０Ｌが設けられている。また、トッププレート２の後方中央には、本体１内部と連通し、本体１内部に取り込んだ空気を吹き出し排出するための排気口２１が設けられている。
また、吸気口２０Ｒ、２０Ｌおよび排気口２１の上部には、通気性を有するカバー２２を設けて、本体１内部への埃や異物侵入を防止している。
【００１５】
本体１の中央下部には魚等の調理を行うためのグリル庫３０が設けられている。
また、グリル庫３０内には、庫内に載置された被調理物を加熱するための熱源となるグリルヒーター３１（図示せず）が備えられている。このグリルヒーター３１は、例えばシーズヒーター等からなり、グリル庫３０内の上部および下部に配置される。
また、グリル庫３０の前面にはグリル扉３２が設けられ、グリル扉３２にはグリル庫３０の内部を視認できるよう視認窓３３が設けられている。また、グリル扉３２の最前面には使い勝手の良いようにグリル把持部３４が設けられている。また、グリル庫３０の内部において加熱時に排出される煙等の排気風は、本体１の奥部に設けた排気口２１より排気される。
なお、ここでは本体１の中央にグリル庫３０を設ける場合を説明するが、本発明はこれに限るものではない。例えばグリル庫３０を本体１の左側下部に設けるようにしても良い。
【００１６】
なお、「誘導加熱コイル３Ｒ」、「誘導加熱コイル３Ｌ」、および「グリルヒーター３１」は、本発明における「加熱手段」に相当する。
【００１７】
図３は本発明の実施の形態１に係る加熱調理器のブロック構成図である。
図３に示すように、本体１の内部には、制御部１００、インバーター回路１１０Ｒ、１１０Ｌ、グリルヒーター駆動回路１１１、表示部駆動回路１１２、スピーカー１１３、および電源部２００を備えている。
【００１８】
制御部１００は、操作部５からの操作信号や図示しない各種センサーからの検知信号が入力され、予め設定されたプログラム等に従って各構成部を制御するものである。
この制御部１００には、定電圧回路（図示せず）を介して直流電源が供給される。
【００１９】
電源部２００は、制御部１００からの制御に応じて、商用電源からの電力をインバーター回路１１０Ｒ、１１０Ｌ、グリルヒーター駆動回路１１１、および図示しない定電圧回路等に供給する。
【００２０】
インバーター回路１１０Ｒは、制御部１００からの加熱指令に応じて、電源部２００から供給される電力を変換し、誘導加熱コイル３Ｒと共振コンデンサＣとを接続した回路に、高周波電流を供給する。
インバーター回路１１０Ｌは、制御部１００からの加熱指令に応じて、電源部２００から供給される電力を変換し、誘導加熱コイル３Ｌと共振コンデンサＣとを接続した回路に、高周波電流を供給する。
なお、電源部２００から各インバーター回路１１０への電力供給は、制御部１００からの制御により、各インバーター回路１１０ごとにオンオフ制御がなされる。
【００２１】
誘導加熱コイル３Ｒ、３Ｌは、渦巻状に巻かれたコイルにより構成され、各インバーター回路１１０から高周波電流が供給されることにより、トッププレート２に載置された被加熱物を誘導加熱する。
【００２２】
グリルヒーター駆動回路１１１は、制御部１００からの加熱指令に応じて、グリル庫３０内のグリルヒーター３１を駆動する。
表示部駆動回路１１２は、制御部１００からの指示に従い、例えばＬＣＤにより構成された表示部６を駆動する。
【００２３】
次に、本実施の形態１における操作部５の詳細について、図２、図４、図５により説明する。
【００２４】
図４は本発明の実施の形態１に係る操作部を示す図である。
図５は本発明の実施の形態１に係る操作部の要部拡大図である。
図２、図４、図５に示すように、操作部５は、加熱調理器の主電源をオン・オフ操作する主電源スイッチ５０と、誘導加熱コイル３Ｒの加熱調理に関する操作を行う右ＩＨ操作部５Ｒと、誘導加熱コイル３Ｌの加熱調理に関する操作を行う左ＩＨ操作部５Ｌと、グリル庫３０の加熱調理に関する操作を行うグリル操作部５Ｇとにより構成されている。
【００２５】
また、右ＩＨ操作部５Ｒ、および左ＩＨ操作部５Ｌは、それぞれ、操作対象となる加熱口４の幅方向の位置と対応する位置に配置されている。すなわち、右ＩＨ操作部５Ｒは、誘導加熱コイル３Ｒの手前（紙面下側）に配置され、左ＩＨ操作部５Ｌは、誘導加熱コイル３Ｌの手前（紙面下側）に配置されている。また、グリル操作部５Ｇは操作部５の中央に配置されている。
このような配置によって、図２の一点鎖線で示すように、トッププレート２の上面において、誘導加熱コイル３Ｒおよび右ＩＨ操作部５Ｒが配置された配置エリア７０Ｒと、誘導加熱コイル３Ｌおよび左ＩＨ操作部５Ｌが配置された配置エリア７０Ｌと、グリル操作部５Ｇとが、それぞれ互いに重複しないような配置となっている。
【００２６】
なお、本実施の形態におけるグリル庫３０は本体１の中央下部に配置されているため、これに対応して中央部にグリル操作部５Ｇを配置しているが、グリル操作部５Ｇの配置はこれに限るものではない。例えばトッププレート２の後部中央にさらに加熱口を設ける場合（３口の場合）には、当該加熱口の加熱手段を操作する操作部を中央に設けるようにしても良い。
【００２７】
右ＩＨ操作部５Ｒは、誘導加熱コイル３Ｒによる加熱調理の開始・停止操作をする切入スイッチ５１Ｒと、誘導加熱コイル３Ｒによる加熱調理の火力を設定する火力設定スイッチ５２Ｒと、所望の時間経過後に加熱調理を停止させるタイマー調理モードの設定・実行をする切タイマースイッチ５３とを備えている。
すなわち、右ＩＨ操作部５Ｒを構成する切入スイッチ５１Ｒ、火力設定スイッチ５２Ｒ、および切タイマースイッチ５３は、操作対象である誘導加熱コイル３Ｒの幅方向の位置と対応する位置に配置されている。
【００２８】
左ＩＨ操作部５Ｌは、誘導加熱コイル３Ｌによる加熱調理の開始・停止操作をする切入スイッチ５１Ｌと、誘導加熱コイル３Ｌによる加熱調理の火力を設定する火力設定スイッチ５２Ｌと、被加熱物を所望の温度に加熱する調理モードである揚げ物調理の設定・実行をする揚げ物スイッチ５４とを備えている。
すなわち、左ＩＨ操作部５Ｌを構成する切入スイッチ５１Ｌ、火力設定スイッチ５２Ｌ、および揚げ物スイッチ５４は、操作対象である誘導加熱コイル３Ｌの幅方向の位置と対応する位置に配置されている。
【００２９】
グリル操作部５Ｇは、グリルヒーター３１による加熱調理の開始・停止操作をする切入スイッチ５１Ｇと、グリルヒーター３１による加熱調理に関する設定を入力する手動調理スイッチ５５および自動調理スイッチ５６とを備えている。
すなわち、本実施の形態ではグリル庫３０が本体１の中央に配置されているため、グリル操作部５Ｇを構成する切入スイッチ５１Ｇ、手動調理スイッチ５５、および自動調理スイッチ５６は、操作対象であるグリルヒーター３１の幅方向の位置と対応する位置に配置されている。
また、手動調理スイッチ５５は、使用者の任意の操作によりグリルヒーター３１の火力を調節する焼き加減スイッチと、所望の時間経過後にグリル庫の加熱調理を停止させる切りタイマースイッチとを備えている。
また、自動調理スイッチ５６は、予め設定された所定の加熱調理を実行させる姿焼きスイッチおよび切身ひものスイッチを備えている。
【００３０】
なお、「切入スイッチ５１Ｒ、５１Ｌ、５１Ｇ」、「火力設定スイッチ５２Ｒ、５２Ｌ」、「切タイマースイッチ５３」、「揚げ物スイッチ５４」、「手動調理スイッチ５５」、および「自動調理スイッチ５６」は、本発明における「操作スイッチ」に相当する。以下、これらのスイッチを「操作スイッチ」ともいう。
【００３１】
また、図４、図５に示すように、少なくとも一部の操作スイッチの表面または近傍には、加熱調理を開始させるための操作の順序を示す番号が印字されている。
主電源スイッチ５０の近傍には、番号「１」を示す印字８０が設けられている。
切入スイッチ５１Ｒ、５１Ｌ、５１Ｇの近傍には、それぞれ、番号「２」を示す印字８１Ｒ、８１Ｌ、８１Ｇが設けられている。
火力設定スイッチ５２Ｒ、５２Ｌ、自動調理スイッチ５６の近傍には、それぞれ、番号「３」を示す印字８２Ｒ、８２Ｌ、８２Ｇが設けられている。
【００３２】
なお、図４、図５の例では、各操作スイッチの近傍に印字をした場合を示すが、本発明はこれに限るものではない。例えば操作スイッチの表面（真上）に番号を印字するようにしても良い。
なお、「印字」には、印刷の他、エンボス加工（点字を含む）や彩色の透明抜き、数字形状の部材の配置などを含み、視覚または触覚により番号を認識できるものが含まれる。
なお、「番号」には、アラビア数字の他、ローマ数字や文字（例えば、あいう…、イロハ…、ＡＢＣ…）、その他順序を示す符号が含まれる。
【００３３】
以上、本実施の形態１における加熱調理器の構成について説明した。
次に、本実施の形態１における加熱調理器における加熱調理の開始手順について説明する。
【００３４】
例えば加熱口４Ｒに鍋などの被加熱物を載置して加熱する場合を考える。
本実施の形態１における加熱調理器においては、以下の手順により加熱を開始する。
（１）使用者は主電源スイッチ５０をオンにする。これにより制御部１００等に電力が供給される。
（２）使用者は、切入スイッチ５１Ｒ、５１Ｌ、５１Ｇのうち、加熱調理を開始させる加熱手段に対応する切入スイッチ５１を押下する。ここでは、加熱口４Ｒに対応する右ＩＨ操作部５Ｒの切入スイッチ５１Ｒを押下する。これにより、電源部２００からインバーター回路１１０Ｒに電力が供給され、誘導加熱コイル３Ｒが駆動可能な状態（加熱準備状態）となる。また、このとき、例えば火力表示部６１Ｒを青色表示させて、加熱準備状態である旨の表示をする。
（３）使用者は、加熱調理を開始させる加熱手段に対応する火力設定スイッチ５２、または自動調理スイッチ５６を押下する。ここでは、右ＩＨ操作部５Ｒの火力設定スイッチ５２Ｒを押下する。これにより、制御部１００は、インバーター回路１１０Ｒを駆動して誘導加熱コイル３Ｒによる誘導加熱を開始させる。
【００３５】
このように、操作スイッチの近傍に設けられた番号と加熱調理を開始させるための操作の順序とが対応している。
また、主電源スイッチ５０の次に操作が可能となる切入スイッチ５１Ｒ、５１Ｌ、５１Ｇには、それぞれ同じ番号が印字されている。つまり、各加熱手段ごとに、加熱調理を開始させるための順序を示す番号が付されており、任意の操作スイッチが操作された後に、次の順序となる操作スイッチが複数有る場合には、それぞれ同じ番号を付している。
【００３６】
なお、上述した加熱調理の開始手順は一例であり、これに限るものではない。例えば主電源スイッチ５０をオンの後、火力設定スイッチ５２等を押下することで加熱調理を開始させるものでもよい。この場合、各操作スイッチには当該手順の順序に応じた番号を印字する。
【００３７】
以上のように本実施の形態においては、操作スイッチの表面または近傍に、加熱調理を開始させるための操作の順序を示す番号を印字した。
このため、使用者は番号に従って操作スイッチを操作することで加熱調理を開始させることができる。よって、操作スイッチの操作順序の迷いや誤操作を低減することができる。また、使用者は複数の操作スイッチの操作順序を覚えておく必要がなく、操作順序を思い出す負担を軽減できる。また、取扱説明書などを見ずに複数の操作スイッチの操作順序を理解することができる。
したがって、複数の操作スイッチを操作する際の使い勝手を向上することができる。
【００３８】
また、操作の順序を示す番号を印字しているので、例えばショールームなどに加熱調理器を展示した場合など、加熱調理器に電源が供給されていない状態であっても、取扱説明書等を見ることなく操作の順序を理解することができる。
【００３９】
また、操作の順序を示す番号を印字しているので、例えば聴覚障がいの使用者であっても、音声ガイドなどの操作説明によらずに操作順序を理解することができる。
また、番号の印字を点字とすることで、例えば視覚障がいの使用者であっても、操作順序を理解することができる。
【００４０】
また、加熱手段を複数備え、各加熱手段ごとに、加熱調理を開始させるための操作の順序を示す番号を、操作スイッチの表面または近傍に印字した。
このため、加熱手段が複数の場合であっても、使用者は番号に従って操作スイッチを操作することで、所望の加熱手段により加熱調理を開始させることができる。
【００４１】
また、操作スイッチは、操作対象である加熱手段の手前側であって、当該加熱手段の幅方向の位置と対応する位置に配置されている。
このため、各操作スイッチと操作対象の加熱手段との関係が理解し易い。よって、加熱手段が複数の場合であっても、加熱調理を開始させる加熱手段に対応する位置の操作スイッチに設けられた番号に従って操作することで、当該加熱手段による加熱調理を開始させることができる。
また、各操作スイッチと操作対象の加熱手段との関係が理解し易いため、任意の操作スイッチが操作された後に、次の順序となる操作スイッチが複数有る場合であっても、所望の加熱手段に対応する操作スイッチの番号に従って操作することで、当該加熱手段による加熱調理を開始させることができる。
したがって、複数の操作スイッチを操作する際の使い勝手を向上することができる。
【００４２】
実施の形態２．
図６は本発明の実施の形態２に係る操作部を示す図である。
本実施の形態２においては、上記実施の形態１の構成に加え、番号の印字の下方または近傍に配置された表示灯を備えている。
図６に示すように、主電源スイッチ５０の番号「１」を示す印字８０の下方には、ＬＥＤ６３が設けられている。
切入スイッチ５１Ｒ、５１Ｌ、５１Ｇの番号「２」を示す印字８１Ｒ、８１Ｌ、８１Ｇの下方には、それぞれ、ＬＥＤ６４Ｒ、６４Ｌ、６４Ｇが設けられている。
火力設定スイッチ５２Ｒ、５２Ｌ、自動調理スイッチ５６の番号「３」を示す印字８２Ｒ、８２Ｌ、８２Ｇの下方には、それぞれ、ＬＥＤ６５Ｒ、６５Ｌ、６５Ｇが設けられている。
なお、「ＬＥＤ６３、６４Ｒ、６４Ｌ、６４Ｇ、６５Ｒ、６５Ｌ、６５Ｇ」は、本発明における「表示灯」に相当する。以下、これらのＬＥＤを「表示灯」ともいう。
なお、本実施の形態２ではＬＥＤを用いるが本発明はこれに限らず、任意の発光素子等を表示灯として用いることができる。
【００４３】
本実施の形態２における各印字は、操作部５の表面部材の彩色を透明抜きしたものや、半透明性を有する表面部材にエンボス加工を施すなど、当該印字の下方に設けられた表示灯からの光の少なくとも一部を透過するように形成されている。
【００４４】
また、本実施の形態２における表示部駆動回路１１２は、制御部１００からの指示に従い、ＬＥＤ６３、６４Ｒ、６４Ｌ、６４Ｇ、６５Ｒ、６５Ｌ、６５Ｇを、それぞれ駆動する。
なお、その他の構成は上記実施の形態１と同様であり、同一部分には同一の符号を付する。
【００４５】
このような構成により、制御部１００は、加熱手段による加熱調理を開始させるための操作の順序に応じて、表示灯を点灯または点滅させる。
例えば加熱口４Ｒによる加熱調理の開始操作がされる場合の動作について説明する。
（１）加熱調理器に商用電源が供給されると、制御部１００は、番号「１」を示す印字８０のＬＥＤ６３を点灯させる。使用者は、印字８０の番号およびＬＥＤ６３の点灯に従い、主電源スイッチ５０をオンにする。
（２）制御部１００は、番号「２」を示す印字８１Ｒ、８１Ｌ、８１ＧのＬＥＤ６４Ｒ、６４Ｌ、６４Ｇを、それぞれ点滅させる。これにより、使用者は、次の順序となる操作スイッチが切入スイッチ５１Ｒ、５１Ｌ、５１Ｇの何れかであると認識することができる。
使用者は、印字８１Ｒ、８１Ｌ、８１Ｇの番号およびＬＥＤ６４Ｒ、６４Ｌ、６４Ｇの点滅に従い、切入スイッチ５１Ｒ、５１Ｌ、５１Ｇのうち、加熱調理を開始させる加熱手段に対応する切入スイッチ５１を押下する。ここでは、例えば、加熱口４Ｒに対応する右ＩＨ操作部５Ｒの切入スイッチ５１Ｒを押下する。
そして、制御部１００は、ＬＥＤ６４Ｒ、６４Ｌ、６４Ｇのうち、押下された切入スイッチ５１Ｒに対応するＬＥＤ６４Ｒのみを点灯させる。
（３）制御部１００は、番号「３」を示す印字８２Ｒ、８２Ｌ、８２ＧのＬＥＤ６５Ｒ、６５Ｌ、６５Ｇのうち、上記（２）の操作の次の順序となるＬＥＤを点灯させる。例えば上記（２）で右ＩＨ操作部５Ｒの切入スイッチ５１Ｒが押下された場合、当該右ＩＨ操作部５Ｒの番号「３」を示す印字８２ＲのＬＥＤ６５Ｒを点灯させる。
使用者は、印字８２Ｒの番号およびＬＥＤ６５Ｒの点灯に従い、右ＩＨ操作部５Ｒの火力設定スイッチ５２Ｒを押下する。
これにより、制御部１００は、インバーター回路１１０Ｒを駆動して誘導加熱コイル３Ｒによる誘導加熱を開始させる。
【００４６】
以上のように本実施の形態においては、加熱手段による加熱調理を開始させるための操作の順序に応じて、各印字の下方に配置された表示灯を点灯または点滅させる。
このため、上記実施の形態１の効果に加え、より操作スイッチの操作順序の迷いや誤操作を低減することができる。したがって、複数の操作スイッチを操作する際の使い勝手をさらに向上することができる。
【００４７】
また、任意の操作スイッチが操作された後、当該操作スイッチの次の順序となる操作スイッチが複数ある場合には、各操作スイッチの印字の表示灯を、それぞれ点灯または点滅させる。
このため、任意の操作スイッチが操作された後に、次の順序となる操作スイッチが複数有る場合であっても、使用者はこれら複数の操作スイッチが操作可能であることが理解し易くなる。
【００４８】
実施の形態３．
図７は本発明の実施の形態３に係る操作部を示す図である。
本実施の形態３においては、上記実施の形態１または２の構成に加え、操作スイッチの下方または近傍に配置された第２表示灯を備えている。
図７に示すように、主電源スイッチ５０の下方には、ＬＥＤ６６が設けられている。
切入スイッチ５１Ｒ、５１Ｌ、５１Ｇの下方には、それぞれ、ＬＥＤ６７Ｒ、６７Ｌ、６７Ｇが設けられている。
なお、「ＬＥＤ６６、６７Ｒ、６７Ｌ、６７Ｇ」は、本発明における「第２表示灯」に相当する。以下、これらのＬＥＤを「第２表示灯」ともいう。
なお、本実施の形態３ではＬＥＤを用いるが本発明はこれに限らず、任意の発光素子等を表示灯として用いることができる。
【００４９】
本実施の形態３における操作スイッチは、第２表示灯の配置位置に対応する部分の少なくとも一部が、透明性または半透明性を有するように形成され、第２表示灯からの光の少なくとも一部を透過するように形成されている。
【００５０】
また、本実施の形態３における表示部駆動回路１１２は、制御部１００からの指示に従い、ＬＥＤ６６、６７Ｒ、６７Ｌ、６７Ｇを、それぞれ駆動する。
なお、その他の構成は上記実施の形態１と同様であり、同一部分には同一の符号を付する。
【００５１】
このような構成により、制御部１００は、加熱手段による加熱調理を開始させるための操作の順序に応じて、第２表示灯を点灯または点滅させる。
例えば加熱口４Ｒによる加熱調理の開始操作がされる場合の動作について説明する。
（１）加熱調理器に商用電源が供給されると、制御部１００は、主電源スイッチ５０のＬＥＤ６６を点灯させる。使用者は、印字８０の番号およびＬＥＤ６６の点灯に従い、主電源スイッチ５０をオンにする。
（２）制御部１００は、切入スイッチ５１Ｒ、５１Ｌ、５１ＧのＬＥＤ６７Ｒ、６７Ｌ、６７Ｇを、それぞれ点滅させる。これにより、使用者は、次の順序となる操作スイッチが切入スイッチ５１Ｒ、５１Ｌ、５１Ｇの何れかであると認識することができる。
使用者は、印字８１Ｒ、８１Ｌ、８１Ｇの番号およびＬＥＤ６７Ｒ、６７Ｌ、６７Ｇの点滅に従い、切入スイッチ５１Ｒ、５１Ｌ、５１Ｇのうち、加熱調理を開始させる加熱手段に対応する切入スイッチ５１を押下する。ここでは、例えば、加熱口４Ｒに対応する右ＩＨ操作部５Ｒの切入スイッチ５１Ｒを押下する。
そして、制御部１００は、ＬＥＤ６７Ｒ、６７Ｌ、６７Ｇのうち、押下された切入スイッチ５１Ｒに対応するＬＥＤ６７Ｒのみを点灯させる。
（３）使用者は、印字８２Ｒの番号に従い、右ＩＨ操作部５Ｒの火力設定スイッチ５２Ｒを押下する。これにより、制御部１００は、インバーター回路１１０Ｒを駆動して誘導加熱コイル３Ｒによる誘導加熱を開始させる。
【００５２】
以上のように本実施の形態においては、加熱手段による加熱調理を開始させるための操作の順序に応じて、操作スイッチの下方に配置された第２表示灯を点灯または点滅させる。
このため、上記実施の形態１の効果に加え、より操作スイッチの操作順序の迷いや誤操作を低減することができる。したがって、複数の操作スイッチを操作する際の使い勝手をさらに向上することができる。
【００５３】
また、任意の操作スイッチが操作された後、当該操作スイッチの次の順序となる操作スイッチが複数ある場合には、各操作スイッチの第２表示灯を、それぞれ点灯または点滅させる。
このため、任意の操作スイッチが操作された後に、次の順序となる操作スイッチが複数有る場合であっても、使用者はこれら複数の操作スイッチが操作可能であることが理解し易くなる。
【００５４】
なお、上記実施の形態１〜３では、加熱手段としての誘導加熱コイルに高周波電流を流して誘導加熱を行う加熱調理器について説明したが、本発明はこれに限るものではなく、例えば、輻射によって加熱する輻射型熱源を用いる電気ヒーター（例えばニクロム線やハロゲンヒーター、ラジエントヒーター）を用いるようにしても良い。
【符号の説明】
【００５５】
１  本体、２  トッププレート、３Ｌ  誘導加熱コイル、３Ｒ  誘導加熱コイル、４Ｌ  加熱口、４Ｒ  加熱口、５  操作部、５Ｒ  右ＩＨ操作部、５Ｌ  左ＩＨ操作部、５Ｇ  グリル操作部、６  表示部、２０Ｒ  吸気口、２０Ｌ  吸気口、２１  排気口、２２  カバー、３０  グリル庫、３１  グリルヒーター、３２  グリル扉、３３  視認窓、３４  グリル把持部、５０  主電源スイッチ、５１Ｇ  切入スイッチ、５１Ｌ  切入スイッチ、５１Ｒ  切入スイッチ、５２Ｌ  火力設定スイッチ、５２Ｒ  火力設定スイッチ、５３  切タイマースイッチ、５４  揚げ物スイッチ、５５  手動調理スイッチ、５６  自動調理スイッチ、６０  中央表示部、６１Ｌ  火力表示部、６１Ｒ  火力表示部、６２Ｌ  左表示部、６２Ｒ  右表示部、６３  ＬＥＤ、６４Ｒ  ＬＥＤ、６４Ｌ  ＬＥＤ、６４Ｇ  ＬＥＤ、６５Ｒ  ＬＥＤ、６５Ｌ  ＬＥＤ、６５Ｇ  ＬＥＤ、７０Ｌ  配置エリア、７０Ｒ  配置エリア、８０  印字、８１Ｒ  印字、８２Ｒ  印字、１００  制御部、１１０Ｌ  インバーター回路、１１０Ｒ  インバーター回路、１１１  グリルヒーター駆動回路、１１２  表示部駆動回路、１１３  スピーカー、２００  電源部。
【図１】
2011161881.tif 000003
【図２】
2011161881.tif 000004
【図３】
2011161881.tif 000005
【図４】
2011161881.tif 000006
【図５】
2011161881.tif 000007
【図６】
2011161881.tif 000008
【図７】
2011161881.tif 000009
【国際調査報告】
2011161881.tif 000010
2011161881.tif 000011